【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
観察対象物を拡大表示する拡大画像観察装置であって、
観察対象物の画像を取得するための光学撮像系と、
観察対象物を低倍率で撮像した広域画像を表示するための広域画像表示領域と、高倍率で撮像した拡大画像を表示するための拡大画像表示領域を有する表示部と、
複数の広域画像を予め取得し、各々保持するためのメモリ部と、
観察対象物を載置するための試料載置部と、
前記試料載置部を光学撮像系に対して相対的に移動させるための移動機構と、
前記広域画像表示領域に表示される広域画像を、前記メモリ部から読み出して切り替えるための広域画像切替手段と、
を備え、
前記表示部がさらに、前記試料載置部の相対移動範囲を表示するための相対移動範囲表示領域を有し、
前記相対移動範囲表示領域に相対移動範囲を表示させた状態で、複数の広域画像の撮像位置を相対移動範囲上に表示可能であり、
かつ、相対移動範囲上で表示された広域画像を選択することで、前記広域画像表示領域に表示される広域画像を切り替えて表示させると共に、該広域画像上から所望の領域を指定して、拡大画像を表示部の拡大画像表示領域に表示可能に構成してなることを特徴とする拡大画像観察装置。
【請求項２】
請求項１に記載の拡大画像観察装置であって、
拡大画像を画像処理により拡大して表示可能なデジタルズーム機能を備えており、
前記広域画像表示領域に表示される広域画像上で指定した領域を、拡大画像として拡大画像表示領域に表示すると共に、拡大画像が広域画像上で対応する位置を、前記広域画像表示領域において枠状で表示で表示可能であり、
さらに拡大画像をデジタルズームすると、広域画像上の枠状の大きさを、デジタルズーム後に表示されるデジタルズーム画像で表示される領域に応じて縮小又は拡大することを特徴とする拡大画像観察装置。
【請求項３】
請求項２に記載の拡大画像観察装置であって、
前記広域画像表示領域に表示される広域画像上で、拡大画像のデジタルズーム前の元画像に対応する位置を第１の枠状で表示しつつ、
デジタルズームした拡大画像の対応する大きさを、第２の枠状で表示し、
前記第１の枠状と第２の枠状を異なる態様で表示してなることを特徴とする拡大画像観察装置。
【請求項４】
観察対象物を拡大表示する拡大画像観察装置であって、
観察対象物の画像を取得するための光学撮像系と、
観察対象物を低倍率で撮像した広域画像を表示するための広域画像表示領域と、高倍率で撮像した拡大画像を表示するための拡大画像表示領域を有する表示部と、
複数の広域画像を予め取得し、各々保持するためのメモリ部と、
観察対象物を載置するための試料載置部と、
前記試料載置部を光学撮像系に対して相対的に移動させるための移動機構と、
前記移動機構を移動させて撮像された隣接する領域の複数の広域画像を合成し、より大きな広域画像を作成する広域画像合成手段と、
を備えることを特徴とする拡大画像観察装置。
【請求項５】
請求項４に記載の拡大画像観察装置であって、さらに、
合成された合成広域画像において、前記広域画像合成手段による広域画像同士を合成した位置に基づき、座標位置を補正する補正座標位置演算手段と、
を備えることを特徴とする拡大画像観察装置。
【請求項６】
請求項５に記載の拡大画像観察装置であって、
前記広域画像合成手段が４枚以上の広域画像を合成して合成広域画像を生成する際に、前記補正座標位置演算手段が左上に位置する広域画像の座標位置を基準として、補正後の座標位置を演算することを特徴とする拡大画像観察装置。
【請求項７】
請求項１から６のいずれか一に記載の拡大画像観察装置であって、
前記拡大画像観察装置が、蛍光画像及び明視野画像を撮像する撮像系を備えており、
前記広域画像表示領域に表示させる広域画像を明視野像とし、
前記拡大画像表示領域に表示させる拡大画像を蛍光像とすることを特徴とする拡大画像観察装置。
【請求項８】
請求項１から７のいずれか一に記載の拡大画像観察装置であって、
試料載置部の移動中は、登録されている広域画像のデジタルズーム像を前記表示部に表示させてなることを特徴とする拡大観察装置。
【請求項９】
観察対象物を拡大表示する拡大画像観察方法であって、
低倍率で撮像された複数の広域画像を取得し、保存する工程と、
観察対象物を載置する試料載置部が相対移動可能な相対移動範囲を、表示部の相対移動範囲表示領域に表示すると共に、保存された複数の広域画像の、該相対移動範囲上における位置をそれぞれ、該相対移動範囲に重ねて表示する工程と、
該相対移動範囲上で、いずれかの広域画像の位置を選択することで、該当する広域画像を表示部の広域画像表示領域に切り替えて表示させると共に、該広域画像上から所望の領域を指定して、拡大画像を表示部の拡大画像表示領域に表示させる工程と、
を含むことを特徴とする拡大画像観察方法。
【請求項１０】
観察対象物を拡大表示する拡大画像観察方法であって、
低倍率で撮像された複数の広域画像を取得し、保存する工程と、
観察対象物を低倍率で撮像した広域画像を表示するための広域画像表示領域と、高倍率で撮像した拡大画像を表示するための拡大画像表示領域を有する表示部において、前記広域画像表示領域に表示される広域画像上で指定した領域を、拡大画像として拡大画像表示領域に表示すると共に、拡大画像が広域画像上で対応する位置を、前記広域画像表示領域において第１の枠状で表示する工程と、
拡大画像をデジタルズームすると、第１の枠状を表示させつつ、第１の枠状と異なる態様で表示される第２の枠状で、デジタルズームされた画像で表示される領域に応じて広域画像上の枠状の大きさを縮小又は拡大する工程と、
を含むことを特徴とする拡大画像観察方法。
【請求項１１】
観察対象物を拡大表示する拡大画像観察方法であって、
観察対象物を載置するための試料載置部を光学撮像系に対して相対的に移動させて、隣接する領域の広域画像を複数撮像する工程と、
これら複数の広域画像を、画像処理により境界部分が一致するように繋ぎ合わせて合成し、より大きな広域画像を作成する工程と、
合成された合成広域画像において、広域画像同士を繋ぎ合わせた位置情報に基づき、合成画像全体としての座標位置を補正する工程と、
を含むことを特徴とする拡大画像観察方法。
【請求項１２】
観察対象物を拡大表示する拡大画像観察プログラムであって、
低倍率で撮像された複数の広域画像を取得し、保存する機能と、
観察対象物を載置する試料載置部が相対移動可能な相対移動範囲を、表示部の相対移動範囲表示領域に表示すると共に、保存された複数の広域画像の、該相対移動範囲上における位置をそれぞれ、該相対移動範囲に重ねて表示する機能と、
該相対移動範囲上で、いずれかの広域画像の位置を選択することで、該当する広域画像を表示部の広域画像表示領域に切り替えて表示させると共に、該広域画像上から所望の領域を指定して、拡大画像を表示部の拡大画像表示領域に表示させる機能と、
をコンピュータに実現させることを特徴とする拡大画像観察プログラム。
【請求項１３】
観察対象物を拡大表示する拡大画像観察プログラムであって、
低倍率で撮像された複数の広域画像を取得し、保存する機能と、
観察対象物を低倍率で撮像した広域画像を表示するための広域画像表示領域と、高倍率で撮像した拡大画像を表示するための拡大画像表示領域を有する表示部において、前記広域画像表示領域に表示される広域画像上で指定した領域を、拡大画像として拡大画像表示領域に表示すると共に、拡大画像が広域画像上で対応する位置を、前記広域画像表示領域において第１の枠状で表示する機能と、
拡大画像をデジタルズームすると、第１の枠状を表示させつつ、第１の枠状と異なる態様で表示される第２の枠状で、デジタルズームされた画像で表示される領域に応じて広域画像上の枠状の大きさを縮小又は拡大する機能と、
をコンピュータに実現させることを特徴とする拡大画像観察プログラム。
【請求項１４】
観察対象物を拡大表示する拡大画像観察プログラムであって、
観察対象物を載置するための試料載置部を光学撮像系に対して相対的に移動させて、隣接する領域の広域画像を複数撮像する機能と、
これら複数の広域画像を、画像処理により境界部分が一致するように繋ぎ合わせて合成し、より大きな広域画像を作成する機能と、
合成された合成広域画像において、広域画像同士を繋ぎ合わせた位置情報に基づき、合成画像全体としての座標位置を補正する機能と、
をコンピュータに実現させることを特徴とする拡大画像観察プログラム。
【請求項１５】
請求項１２から１４のいずれか一に記載されるプログラムを格納したコンピュータで読み取り可能な記録媒体又は記録した機器。